(57)【要約】  バックライティングは、回転手段を介して電源から複数の光波ガイドに対して光を方向付けることにより、ディスプレイパネルを表示させるために設けられており、光波ガイドは、前記回転手段に対向する一端と、バックライティングが提供されるパネルの一方の縁に沿って取り付けられた他端と、を伴って位置決めされている。ビームは、光波ガイドのそれぞれに対して連続的に光を供給すると共にその結果としてディスプレイパネルアレイの背後のパネルを透過する光のスクローリングを行なうように回転される。
2005509188.tif 000002
【特許請求の範囲】
【請求項１】
光源と、
それぞれが近位中心端と遠心端とを有する複数の光波ガイドに光を導くための回転手段と、
前記回転手段に対して対向関係を有して配置された前記近位中心端と、
前記表示パネルの一方の縁に直線的に沿って配置された前記遠心端と、
前記回転手段に対して回転力を伝達する駆動手段と、
を備える伝達可能な表示パネル用スクローリングバックライトシステム。
【請求項２】
前記光源は、高輝度放電ランプである請求項１に記載のバックライトシステム。
【請求項３】
前記駆動手段は、一定角速度で前記回転手段を回転させる請求項１に記載のバックライトシステム。
【請求項４】
ａ）光源と、
ｂ）中心軸を伴う円筒形状の周面と、一方端を閉鎖する端面と、開放された他端と、高反射可能な内面を有する前記周面及び端面と、前記周面を通過して延長された所定寸法の開口部と、を有するドラムと、
ｃ）前記光源から前記ドラムの前記開放された他端へと光を反射するように位置付けられた反射部と、
ｄ）それぞれが近位中心端と遠心端とを有するｎ個の複数の光ファイバと、
ｅ）１からｎまでの順番で、前記開口部の平面で前記ドラムに対して外向きの対向関係を有して前記中心軸と同軸の円周上に配置された前記近位中心端と、
ｆ）１からｎまでの順番で、前記平面の一方の縁に直線的に沿って配置された前記遠心端と、
ｇ）前記中心軸に関して前記ドラムに対して回転力を伝達することにより、前記ドラムの範囲内からの光ビームが前記開口部を透過して伝達のための前記光ファイバの前記近位中心端に連続的に衝突することにより、１からｎまでの順番で前記近位中心端に衝突して前記パネルに対してＬＣＤ表示へのバックライトされたスクローリングを付与する駆動手段と、
を備え、前記ＬＣＤ表示を行なうための請求項１に記載のスクローリングバックライトシステム。
【請求項５】
前記光ファイバの数は、前記パネルの前記一方側の長さのインチよりも大きい請求項４に記載のバックライトシステム。
【請求項６】
レンズ、透明の回転手段を備えると共に、回転プリズム、回転四角形及び回転五角形のうちの１つを備える請求項１に記載のバックライトシステム。
【請求項７】
請求項１に記載のバックライトシステムを備える表示装置。
【発明の詳細な説明】
【技術分野】
【０００１】
本発明は、一般的に動画における人為的影響（motion artifacts）を低減したディスプレイの用途に用いられるタイプのスクローリングバックライトシステムに関し、特に、スクローリングバックライトシステムに通常関連付けられる問題を克服するようにして、ＬＣＤ−ＴＶ用のバックライトパネル上に電源より高輝度の光をスクロールするための装置に関する。
【０００２】
この発明はさらに、このようなバックライトシステムを備えるパネルに関する。
【背景技術】
【０００３】
ＬＣＤ（Liquid Crystal Display）の動作の転送モードにおいて、適切な光源から発する光は、視聴者から見てＬＣＤディスプレイの反対側に位置決めされたパネルに対して方向付けられる。
【０００４】
ＬＣＤ−ＴＶディスプレイにおける動きの人為的影響を低減させるために、ビームがパネル上で連続的にスクロールされるように光を提供することは有用なことであるものとかつてより理解されている。現在、ＬＣＤ−ＴＶにおける動きの人為的影響の低減で用いられているスクローリングバックライトシステムは冷陰極線蛍光ランプ（ＣＣＦＬ―Cold Cathode Fluorescent Lamp―）への直接バックライトか、ホワイトＲＧＢ（赤、緑、青）のＬＥＤ（Light Emitting Diode―発光ダイオード―）へのエッジバックライトかの何れかを用いており、後者は、前者よりも実質的にはより大きな電力を必要としている。両システムとも共通して例えばパネルの領域および／または輝度レベルにおける照度の不均一のような好ましくない特性を経験している。
【０００５】
本発明は、関連した技術分野に結びつけられる１つまたはそれ以上の問題または短所を克服することを指向している。
【発明の概要】
【０００６】
適切な光源からの光は、以下のものに方向付けられる、
（ａ）光源、
（ｂ）それぞれが近位中心端（proximal end）と遠心端（distal end）とを有する複数の光波ガイドに光を導くための回転手段と、
（ｃ）前記回転手段に対して対向関係を有して配置された前記近位中心端と、
（ｄ）前記表示パネルの一方の縁に直線的に沿って配置された前記遠心端と、
（ｅ）前記回転手段に対して回転力を伝達する駆動手段。
【０００７】
１つの実施形態において、光は円筒状のドラムの開放端へと方向付けられ、ドラムの他端は閉鎖されている。このドラムは高い反射特性のある内面と、円筒状の壁面に形成された所定寸法の開口部と、を有している。このドラムはその軸について一定の角速度で回転させられて、円形パターンと同じように回転させるオリフィス（周状開口部）を介して光ビームを通過させている。光ファイバのアレイは、ドラムの軸と同軸の円周上に配置されると共にオリフィスを含むドラムの外周面の位置より外側に離隔する位置に配置された各ファイバの近位中心端に配置されている。ファイバの遠心端は、近位中心端と同じ連続するものの遠心端を備える例えばＬＣＤアレイのバックライトパネルの縁に直線的に沿って配置されている。このようにして、ビームはオリフィスを通過して、ファイバの中心端上に連続的に衝突し、これにより、充分でかつ均一な輝度を伴ったバックライトを提供するためにパネルを超えて連続的にスクロールされる。
【０００８】
異なる実施形態において、透明の主体が光波ガイドの積層物の中に光ビームを方向付けて、この光波ガイドの遠心端は転送可能なディスプレイパネルのバックライトパネルの縁に沿って配置されている。
【発明を実施するための最良の形態】
【０００９】
以下、図面を参照しながら高輝度光源１０から照射される光が、放物面反射鏡１２によりドラム１６の開放端１４内に方向付けられている。プロジェクタ（投光器）の応用において、メタルハライド（金属ハロゲン）ランプのような高輝度放電ランプが光源１０として好適であるが、他の適用例においては異なるタイプのバルブまたはランプが好適であることもある。円筒状の壁面１８は、同心状にドラム軸Ｘ−Ｘを取り囲み、端壁面２０は、開放端１４の反対側の端部を閉鎖している。壁１８及び２０の内周面は高反射可能であって、光をドラム壁１８の外側に連通するオリフィス２２方向へと案内するように設計されている。
【００１０】
内部に繋がる複数の光ファイバの光ガイド２４は、オリフィス２２の面で壁１８に対向する関係で、かつ、非常に接近して、軸Ｘ−Ｘと同心の周に配置されたガイドのそれぞれの近位中心端２４’と共に配置されている。ガイド２４の遠心端２４”は、中心端２４’が軸Ｘ−Ｘに関して位置決めされているのと同じ順番の直線状のアレイで、パネル２６の縁２６’へと接続されている。ガイド２４の数は、縁２６’の側の長さのインチ数よりもより大きい方が好ましい。パネル設計の詳細および光ガイドの物理的なパラメータに依存することが当然であったとしても、例えば、１６個またはこれ以上のガイドが１５”パネルのように設けられていても良い。
【作用的説明】
【００１１】
作動中に、例えばモータ２８により一定の角速度Ｗｒでドラム１６に対して回転が与えられる。このようにして、オリフィス２２を通過する光のビームは同様に、軸Ｘ−Ｘを中心にして回転させられて、連続してファイバ２４の端部２４’を超えて走査される。オリフィス２２の寸法およびファイバ端部２４’の位置決めは、端部がドラムについて位置決めされる順番２４１−２４ｎにおける１つずつ、ビームがファイバ端部の各々の全面を超えて走査される。光は、ファイバにより遠心端２４”に対し及びこれを介して導かれ、これらの端部は同じ順番２４１−２４ｎで縁２６’に沿って配置され、これにより、均一な輝度の受け入れ可能なレベルでの照明を伴ってパネル２６に対してスクロールされたバックライティングを提供することができる。
【００１２】
図３において、複数の連結用の光波ガイド２４が回転プリズムの極めて近くで対向する関係で互いの上面に位置決めされた各ガイドの近位中心端２４’を伴って位置決めされている。ガイド２４の遠心端２４”は、図１，図２に関して説明したものと同様に直線的なアレイでパネル２６の縁２６’に接続されている。
【００１３】
作動中に、例えばモータにより一定の角速度（矢印３１）でプリズム３０に対して回転が与えられる。このようにして、レンズ３３及びプリズム３０を透過する光のビームは、軸Ｘ−Ｘを中心にして同様に回転させられて（矢印３４）、連続してファイバ２４の端部２４’を超えて走査される。光波ガイド端部２４’の寸法と位置決めは、端部がドラムについて位置決めされる順番２４１−２４ｎにおける１つずつ、ビームがファイバ端部の各々の全面を超えて走査される。光は、ファイバにより遠心端２４”に対し及びこれを介して導かれ、これらの端部は同じ順番２４１−２４ｎで縁２６’に沿って配置され、これにより均一な輝度の受け入れ可能なレベルでの照明を伴ってパネル２６に対してスクロールされたバックライティングを提供することができる。
【００１４】
（透明な）プリズムに代えて、構成要素の後に、四角形や五角形のプリズムが用いることもできる。
【００１５】
本発明の他のアスペクトや特徴は、図面、詳細な説明、および添付の請求項を探求することにから得ることができる。例えば、他の透明な表示の効果は、パネル２６内で用いられても良い。
【図面の簡単な説明】
【００１６】
【図１】この発明を実施する装置の特定の構成要素を多少、線図化した説明図である。
【図２】図１の装置の部分を、１つの要素を断面表示し、この発明を構成する他の要素との組合せの下に示す説明図である。
【図３】他の実施形態の説明図である。
【図１】
2005509188.tif 000003
【図２】
2005509188.tif 000004
【図３】
2005509188.tif 000005
【国際調査報告】
2005509188.tif 000006
2005509188.tif 000007